(57)【要約】【課題】一つのトランスで複数のバイアスを生成でき１個の端子から正負の任意の出力をオーバーシュートやアンダーシュートを発生させずに、線形で出力する。【解決手段】トランスＴの第１の二次巻線の出力を整流平滑して第１の極性の電圧を出力する第１の整流平滑回路（Ｄ１、Ｃ１）と、トランスＴの第２の二次巻線の出力を整流平滑して第２の極性の電圧を出力する第２の整流平滑回路（Ｄ２、Ｃ２）と、第２の整流平滑回路の出力端１１ｂに接続された固定抵抗手段Ｒ２と、固定抵抗手段の他端と第１の整流平滑回路の出力端１１ａとの間に接続された可変抵抗手段ＶＲと、可変抵抗手段の抵抗値を変化させる制御信号を出力する制御手段３１と、を備え、第１の整流平滑回路からの第１の極性の電圧を第１の出力端子から出力し、第２の整流平滑回路の出力を、固定抵抗手段と可変抵抗手段とを直列接続して分圧した電圧を第２の出力端子から出力する。【選択図】図３
2014165931.tif 000002
【特許請求の範囲】
【請求項１】
第１の二次巻線及び第２の二次巻線を備えたトランスと、前記第１の二次巻線の出力を整流平滑して第１の極性の電圧を出力する第１の整流平滑回路と、前記第２の二次巻線の出力を整流平滑して前記第１の極性とは異なる第２の極性の電圧を出力する第２の整流平滑回路と、直流電圧を夫々出力する第１の出力端子及び第２の出力端子と、を備えた高圧電源装置であって、
前記第２の整流平滑回路の出力端に接続された固定抵抗手段と、
前記固定抵抗手段の他端と第１の整流平滑回路の出力端との間に接続された可変抵抗手段と、
前記可変抵抗手段の抵抗値を変化させる制御信号を出力する制御手段と、を備え、
前記第１の整流平滑回路からの第１の極性の電圧を前記第１の出力端子から出力し、
前記第２の整流平滑回路の出力を、前記固定抵抗手段と前記可変抵抗手段とを直列接続して分圧した電圧を前記第２の出力端子から出力することを特徴とする高圧電源装置。
【請求項２】
前記トランスの一次巻線にはパルス幅変調した入力電力を供給することを特徴とする請求項１に記載の高圧電源装置。
【請求項３】
前記入力電力の制御を行う第２の制御手段を備えることを特徴とする請求項２に記載の高圧電源装置。
【請求項４】
前記可変抵抗手段は、１段のトランジスタを備えて構成されることを特徴とする請求項１乃至３の何れか一項に記載の高圧電源装置。
【請求項５】
前記可変抵抗手段は、多段のトランジスタを備えて構成されることを特徴とする請求項１乃至３の何れか一項に記載の高圧電源装置。
【請求項６】
請求項１乃至５の何れか一項に記載の高圧電源装置と、この高圧電源装置から供給される高電圧電力をバイアス電力とする処理部を備えることを特徴とする画像形成装置。
【発明の詳細な説明】
【技術分野】
【０００１】
本発明は高圧電源装置、及びこの高圧電源装置を備える画像形成装置に関する。
【背景技術】
【０００２】
画像形成装置である電子写真装置では、画像形成処理において感光体帯電バイアスや、現像バイアス、供給バイアス、規制バイアス、転写バイアスとして高電圧が用いられる。この高電圧は、画像形成装置に備えられた高圧電源装置から供給される。この高圧電源装置には、それぞれのバイアスを生成するため、昇圧用のトランスが配置されている。図８は従来の高圧電源装置を示すブロック図である。
【０００３】
高圧電源装置６０には、４台の変圧手段６１、６２、６３、６４と、それぞれの変圧手段６１、６２、６３、６４を制御する制御回路７１、７２、７３、７４とを備える。また、各変圧手段６１、６２、６３、６４には、トランスと整流平滑回路（図示していない）とが配置されている。
電源装置（図示していない）からパルス幅変調された電力として制御回路７１にＰＷＭ（Ｖｃ）が、制御回路７２にＰＷＭ（Ｔ１）が、制御回路７３にＰＷＭ（Ｔ２＋）が、制御回路７４にＰＷＭ（Ｔ２−）が入力される。これら入力される電力のパルス幅等は電力装置のＣＰＵ（図示していない）で制御される。
そして、高圧電源装置６０の変圧手段６１からＶｃ（−）、Ｖｂ（−）が、変圧手段６２からＴ１（＋）が、変圧手段６３、６４からＴ２（＋／−）の各電力が出力される。これらは画像形成装置のバイアス電圧として供給される。ここで、Ｖｃは帯電電圧、Ｖｂは現像電圧、Ｔ１は一次転写電圧、Ｔ２は二次転写電圧を示している。ここで、括弧内の「＋」、「−」の符号は、電圧が正であるか負であるかを表しており、「＋／−」は、正、負のいずれにも設定できることを表している。
このように、図８の例では、Ｖｃ（−）、Ｖｂ（−）は、変圧手段６１により生成し、Ｔ１（＋）は変圧手段６２により生成し、Ｔ２（＋／−）は変圧手段６３、６４により生成する。
【０００４】
ここで、Ｖｃの出力電圧値はＰＷＭ（Ｖｃ）のＰＷＭ  ＤＵＴＹで設定される。制御回路７１によりＶｃ（−）のフィードバック値とＰＷＭ（Ｖｃ）から変圧手段６１の出力電圧値が定まり、これがＶｃの出力電圧値となる。ここで、変圧手段６１の２つの出力電圧はマイナスバイアスとする。
また、Ｔ１の出力電圧値はＰＷＭ（Ｔ１）の「ＰＷＭ  ＤＵＴＹ」で設定される。制御回路７２によりＴ１（＋）のフィードバック値とＰＷＭ（Ｔ１）から変圧手段６２の出力電圧値が決まり、Ｔ１の出力電圧値となる。
さらに、Ｔ２（＋／−）からＴ２（＋）を出力するときは、変圧手段６３を駆動し、変圧手段６４は駆動しない。さらに、Ｔ２（＋／−）からＴ２（−）を出力するときは、変圧手段６３を駆動せず、変圧手段６４を駆動する。Ｔ２（＋）の出力電圧値はＰＷＭ（Ｔ２＋）のＰＷＭ  ＤＵＴＹで設定される。制御回路７３によりＴ２（＋）のフィードバック値とＰＷＭ（Ｔ２＋）から変圧手段６３の出力電圧値が決まり、Ｔ２（＋）の出力電圧値となる。
【０００５】
また、Ｔ２（−）の出力電圧値は、ＰＷＭ（Ｔ２−）の「ＰＷＭ  ＤＵＴＹ」で設定し、制御回路７４でＴ２（−）のフィードバック値とＰＷＭ（Ｔ２−）から変圧手段６４の出力電圧値が決まり、Ｔ２（−）の出力電圧値が定まる。
このような高圧電圧回路では、Ｖｃ（−）及びＶｂ（−）を１つのトランスすなわち変圧手段６１だけで生成しているのでコスト的なメリットがある。
【０００６】
ここで、特許文献１には、１のトランスで複数の出力を生成する高圧電源装置が開示されている。特許文献１には、回路破壊を招くことなく負荷変動に追従させた安定した電源電圧を複数の負荷に供給するため、複数の直流化回路の夫々に設けられた一次側、二次側スイッチング素子のオン、オフ制御を適切に行う高圧電源装置が開示されている。即ち、一次側スイッチング素子がオン状態時には二次側スイッチング素子によって出力電源ラインをフローティング状態に設定し、一次側スイッチング素子がオフ状態時には二次側スイッチング素子によって出力電源ラインをオン状態に設定する高圧電源装置が開示されている。
【発明の概要】
【発明が解決しようとする課題】
【０００７】
しかし、従来の高圧電源装置では、特定の１つの出力端子の出力を、正電圧から負電圧まで線形的（正負線形）に変化させて出力できないという問題がある。一方、正負の任意の電圧を出力するためにはプラストランス、マイナストランスの出力を重畳するという技術が知られている。しかし、出力を重畳する場合、プラストランスとマイナストランスの起動・停止タイミングがずれてしまうためオーバーシュートやアンダーシュートが発生し、出力画像に異常画像として横筋が発生するという問題があった。
また、特許文献１に記載の高圧電源装置は、特定の１個の出力端子から正負線形に出力できないという問題は解消できない。
本発明は、上記に鑑みてなされたもので、一つのトランスで複数のバイアスを生成でき１個の端子から正負の任意の出力をオーバーシュートやアンダーシュートを発生させずに、線形で出力できる高圧電源装置を提供することを目的とする。
【課題を解決するための手段】
【０００８】
上記課題を解決するため、本発明に係る高圧電源装置は、第１の二次巻線及び第２の二次巻線を備えたトランスと、前記第１の二次巻線の出力を整流平滑して第１の極性の電圧を出力する第１の整流平滑回路と、前記第２の二次巻線の出力を整流平滑して前記第１の極性とは異なる第２の極性の電圧を出力する第２の整流平滑回路と、直流電圧を夫々出力する第１の出力端子及び第２の出力端子と、を備えた高圧電源装置であって、前記第２の整流平滑回路の出力端に接続された固定抵抗手段と、前記固定抵抗手段の他端と第１の整流平滑回路の出力端との間に接続された可変抵抗手段と、前記可変抵抗手段の抵抗値を変化させる制御信号を出力する制御手段と、を備え、前記第１の整流平滑回路からの第１の極性の電圧を前記第１の出力端子から出力し、前記第２の整流平滑回路の出力を、前記固定抵抗手段と前記可変抵抗手段とを直列接続して分圧した電圧を前記第２の出力端子から出力することを特徴とする。
【発明の効果】
【０００９】
本発明によれば、１つのトランスで複数の出力を生成する高圧電源において、第１の整流平滑回路からの第１の極性の電圧を第１の出力端子から出力し、第２の整流平滑回路からは第１の極性とは異なる第２の極性の電圧を出力すると共に、この出力を、固定抵抗手段と可変抵抗手段とを直列接続して分圧した電圧を第２の出力端子から出力するので、トランス起動時、停止時のオーバーシュートやアンダーシュートの発生を抑えて、一つの出力端子から正負線形の高電圧を出力できる。
【図面の簡単な説明】
【００１０】
【図１】本発明の実施形態に係る高圧電源装置を使用しうる画像形成装置を示す図である。
【図２】本発明の実施形態に係る高圧電源装置の概略構成を示す図である。
【図３】同高圧電源装置の第１変圧手段を示す回路図である。
【図４】図３に示した第１変圧手段の各部における電圧を表で示す図である。
【図５】実施形態に係る高圧電源装置の可変抵抗手段の第１の例を示す回路図である。
【図６】実施形態に係る高圧電源装置の可変抵抗手段の第２の例を示す回路図である。
【図７】実施形態に係る高圧電源装置の可変抵抗手段の第３の例を示す回路図である。
【図８】従来の高圧電源装置を示すブロック図である。
【発明を実施するための形態】
【００１１】
本発明の実施形態に係る高圧電源装置、及び画像形成装置について説明する。本発明の実施形態に係る高圧電源装置は、１つのトランスを備えた変圧手段の正電圧の出力端子と負電圧の出力端子の間に可変抵抗手段を設ける。そして、正電圧の出力と負電圧の出力を重畳し、可変抵抗手段の抵抗値を変化させて、出力端子から正負線形の高電圧の直流電力を出力する。
【００１２】
まず、本発明の実施形態に係る高圧電源装置を備える画像形成装置について説明する。図１は本発明の実施形態に係る高圧電源装置を使用しうる画像形成装置を示す図である。
画像形成装置４０は、電子写真式のカラープリンタである。画像形成装置４０は、一次転写ベルト４５に沿って各色の画像形成部４６ＢＫ、４６Ｍ、４６Ｃ、４６Ｙを配置したタンデム型のカラープリンタである。すなわち、画像形成装置４０では、一次転写ベルト４５に沿って、この一次転写ベルト４５の進行方向の上流側から順に、複数の画像形成部４６ＢＫ、４６Ｍ、４６Ｃ、４６Ｙを配置している。これら複数の画像形成部４６ＢＫ、４６Ｍ、４６Ｃ、４６Ｙは形成するトナー画像の色が異なるだけでその内部構成は共通である。
【００１３】
画像形成部４６ＢＫはブラック（ＢＫ）の画像を、画像形成部４６Ｍはマゼンタ（Ｍ）の画像を、画像形成部４６Ｃはシアンの画像を、画像形成部４６Ｙはイエロー（Ｙ）の画像をそれぞれ形成する。画像形成部４６ＢＫは、他の画像形成部４６Ｍ、４６Ｃ、４６Ｙと同様の構成である。このため以下の説明では画像形成部４６ＢＫについて説明し、その他の画像形成部４６Ｍ、４６Ｃ、４６Ｙの各構成要素については、Ｍ、Ｃ、Ｙによって区別した符号を図に表示するにとどめ、説明を省略する。
【００１４】
一次転写ベルト４５は、回転駆動される駆動ローラ４７と従動ローラ５５とに巻回されたベルトである。この駆動ローラ４７は、図示していない駆動モータにより回転駆動され、この駆動モータと、駆動ローラ４７と、従動ローラ５５とが一次転写ベルト４５を転動させる駆動手段として機能する。
画像形成部４６ＢＫは感光体としての感光体ドラム４８ＢＫ、この感光体ドラム４８ＢＫの周囲に配置された帯電器４９ＢＫ、ＬＥＤヘッド５０ＢＫ、現像器５１ＢＫ、感光体クリーナ（図示せず）、除電器５２ＢＫ等から構成されている。ＬＥＤヘッド５０ＢＫは、画像形成部４６ＢＫが形成する画像色に対応する光を照射するように構成されている。
画像形成の際に感光体ドラム４８ＢＫの外周面は暗中にて帯電器４９ＢＫにより一様に帯電された後、ＬＥＤヘッド５０ＢＫからブラックの画像に対応した光により露光され、静電潜像が形成される。現像器５１ＢＫはこの静電潜像をブラックトナーにより可視像化し、このことにより感光体ドラム５８ＢＫ上にブラックのトナー画像が形成される。このトナー画像は、感光体ドラム５８ＢＫと一次転写ベルト４５が接する位置で、一次転写ローラ５３ＢＫに印加されるバイアスにより、一次転写ベルト４５に転写される。トナー画像の転写が終了した感光体ドラム４８ＢＫは、外周面に残留した不要なトナーを感光体クリーナにより払拭された後、除電器５２ＢＫにより除電され、次の画像形成のために待機する。
【００１５】
一次転写ベルト４５は、さらに次の画像をベルト上に形成するために、次の画像形成部４６Ｍに移動する。画像形成部４６Ｍでは、画像形成部４６ＢＫでの画像形成プロセスと同様のプロセスにより感光体ドラム４８Ｍ上にマゼンタのトナー画像が形成され、そのトナー画像が一次転写ベルト４５上に形成されたブラックの画像に重畳されて転写される。
一次転写ベルト４５は、さらに次の画像形成部４６Ｃ、４６Ｙに移動し、同様の動作により、感光体ドラム４８Ｃ上に形成されたシアンのトナー画像と、感光体ドラム４８Ｙ上に形成されたイエローのトナー画像とが、一次転写ベルト４５上に重畳されて転写される。こうして、一次転写ベルト４５上にフルカラーの画像が形成される。
給紙トレイ４１から給紙ローラ４２と分離ロー４３とで分離給紙される用紙４４は、一次転写ベルト４５と用紙４４が接する部分で、二次転写ローラ５６に印加されたバイアスで一次転写ベルト４５上のフルカラーのトナー画像が転写される。これにより、用紙４４上にフルカラートナー画像が形成される。このフルカラーの重ね画像が形成された用紙４４は、定着器５４で画像を定着された後、画像形成装置の外部に排紙される。
【００１６】
ここで、帯電器４９ＢＫ、現像器５１ＢＫ、一次転写ローラ５３ＢＫ、二次転写ローラ５６からなる処理部には本発明の実施形態に係る高圧電源からの高電圧電力をバイアス電力として供給する。なお、画像形成装置として一次転写ベルトに色毎の画像を形成し、二次転写部で用紙に転写する中間転写方式について説明したが、用紙に直接色毎の画像を形成する直接転写方式の画像形装置にも適用することができる。また、ここでは、カラータンデム方式について説明したが、ブラックだけの画像を形成するモノクロ画像形成装置についても同様に適用できる。
【００１７】
次に本発明の実施形態に係る高圧電源装置について説明する。図２は本発明の実施形態に係る高圧電源装置の概略構成を示す図である。実施形態に係る高圧電源１０は、４台の変圧手段、すなわち第１変圧手段１１、第２変圧手段１２、第３変圧手段１３、第４変圧手段１４を備える。各変圧手段１１、１２、１３、１４には、トランスと整流平滑回路とが配置されている。また、各変圧手段１１、１２、１３、１４は、制御手段である制御回路で制御される。即ち、第１変圧手段１１は第１制御回路２１で、第２変圧手段１２は第２制御回路２２で、第３変圧手段１３は第３制御回路２３で、第４変圧手段１４は、第４制御回路２４で入力電力が制御されている。
また、第１変圧手段１１は、２つの出力端１１ａ、１１ｂを備え、異なる極性の直流電圧を出力する。即ち、第１変圧手段１１の一方の出力端１１ａは負電圧（第１の極性の電圧）であり、他方の出力端１１ｂは正電圧（第２の極性の電圧）である。また、第１変圧手段１１の他方の出力端１１ｂには固定抵抗手段である抵抗Ｒ２を配置し、この抵抗Ｒ２の出力側（固定抵抗手段の他端）と、一方の出力端１１ａとの間には可変抵抗手段である可変抵抗ＶＲを配置する。この可変抵抗ＶＲは、抵抗制御回路３１からの制御信号によって抵抗値を変更できる。
【００１８】
高圧電源１０において、第１制御回路２１にはＰＷＭ（Ｖｃ）が、抵抗制御回路３１にはＰＷＭ（Ｖｂ）が、第２制御回路２２にはＰＷＭ（Ｔ１）が、第３制御回路２３にはＰＷＭ（Ｔ２＋）が、第４制御回路２４にはＰＷＭ（Ｔ２−）が入力される。これらは、パルス幅変調されたものであり、図示してないＣＰＵで制御される。また、高圧電源１０において、第１変圧手段１１の出力端子１０Ａ（第１の出力端子）からはＶｃ（−）、出力端子１０Ｂ（第２の出力端子）からはＶｂ（＋／−）が出力される。また、第２変圧手段１２の出力端子１０ＣからはＴ１（＋）が、第３変圧手段１３及び第４変圧手段１４の出力端子１０ＤからはＴ２（＋／−）が出力される。これらの出力電圧は、負荷に印加される。即ちＶｃは帯電電圧として、Ｖｂは現像電圧として、Ｔ１は一次転写電圧として、Ｔ２は二次転写電圧として、画像形成装置の各部に夫々供給される。
第１変圧手段１１において、ＶｃはＰＷＭ（Ｖｃ）の「ＰＷＭ  ＤＵＴＹ」で設定される。第１制御回路２１によりＶｃ（−）からのフィードバック値と、ＰＷＭ（Ｖｃ）から入力される電力により、第１変圧手段１１の一方の出力端１１ａの電圧値が決まり、Ｖｃの出力電圧値となる。出力端子１０ＢからのＶｂ（＋／−）は、第１変圧手段１１の一方の出力端１１ａと他方の出力端１１ｂの出力を重畳することにより生成される。
【００１９】
ここで、Ｖｂ（＋／−）は、第１変圧手段１１の一方の出力端１１ａの負電圧と他方の出力端１１ｂの正電圧との電位差が、可変抵抗ＶＲと抵抗Ｒ２で分圧されて出力されたものである。
抵抗制御回路３１によるＶｂ（＋／−）からのフィードバック値とＰＷＭ（Ｖｂ）から抵抗制御回路３１への入力によりＶＲの抵抗値を設定し、出力端子１０ＢからのＶｂ（＋／−）の出力値をマイナスからプラスまで線形に変化させることができる。
また、出力端子１０ＣからのＴ１の出力電圧値は、ＰＷＭ（Ｔ１）の「ＰＷＭ  ＤＵＴＹ」で設定され、第２制御回路２２へのＴ１（＋）のフィードバック値とＰＷＭ（Ｔ１）からの入力値で第２変圧手段１２の出力電圧値が定まる。
【００２０】
ここで、出力端子１０ＤからのＴ２（＋／−）として、正電圧であるＴ２（＋）を出力するときは、第３変圧手段１３を駆動し、第４変圧手段１４は駆動しない。一方、Ｔ２（＋／−）として負電圧であるＴ２（−）を出力するときは、トランス３を駆動せず、第４変圧手段１４を駆動して生成する。
また、出力端子１０ＤからのＴ２（＋）の出力電圧値はＰＷＭ（Ｔ２＋）の「ＰＷＭ  ＤＵＴＹ」で設定し、第３制御回路２３へのＴ２（＋）のフィードバック値とＰＷＭ（Ｔ２＋）から第３変圧手段１３の出力電圧値が決まる。そして、出力端子１０ＤからのＴ２（−）の出力電圧値はＰＷＭ（Ｔ２−）の「ＰＷＭ  ＤＵＴＹ」で設定し、第４制御回路２４へのＴ２（−）のフィードバック値とＰＷＭ（Ｔ２−）から第４変圧手段１４の出力電圧値が決まる。
【００２１】
実施形態に係る高圧電源１０によれば、出力端子１０Ｂからの出力は線形に負電圧から正電圧まで変更でき、かつ第１変圧手段１１で出力端子１０ＡからＶｃ（−）、出力端子１０ＢからＶｂ（＋／−）を生成でき、コストを低減できる。また、高圧電源１０によれば、出力端子１０ＢからのＶｂ（＋／−）を１台のトランスを備える第１変圧手段１１で生成するので、オーバーシュート／アンダーシュートが発生せず、異常画像（横筋）の発生を防止できる。これに対して、トランスを複数設けた場合には、複数のトランス間の起動時間／停止時間に差が生まれ、オーバーシュート・アンダーシュートが発生する。
【００２２】
次に第１変圧手段１１の構成について詳細に説明する。図３は同高圧電源装置の第１変圧手段を示す回路図である。第１変圧手段１１には、トランスＴを備える。このトランスＴはフライバック方式の構成を備え、２組の二次巻線（第１の二次巻線及び第２の二次巻線）を備える。それぞれの二次巻線は巻き始め位置が異なっており、発生する電圧の向きが逆となり、トランスＴは、極性が異なる２つの出力端を備える。トランスＴのそれぞれの出力端には整流平滑回路として、ダイオードＤ１、Ｄ２とコンデンサＣ１、Ｃ２とが接続されている。なお、ダイオードＤ１とコンデンサＣ１が第１の整流平滑回路であり、ダイオードＤ２とコンデンサＣ２が第２の整流平滑回路である。また、抵抗Ｒ１、Ｒ２がダイオードＤ１、Ｄ２と直列に配置され、抵抗Ｒ３が抵抗Ｒ１の出力側と第１制御回路２１との間に配置される。
【００２３】
第１制御回路２１は、オペレーショナルアンプ（Operational amplifier）ＩＣ１と、抵抗Ｒ５と、コンデンサＣ３と、パワートランジスタＴｒ１で構成される。また、抵抗制御回路３１は、オペレーショナルアンプＩＣ２と、抵抗Ｒ６と、コンデンサＣ４とで構成される。
出力端子１０Ａからは、トランスＴのマイナス出力が整流平滑された負電圧がＶｃ（−）として出力される。また、出力端子１０ＡからのＶｃ（−）は、第１制御回路２１に入力されるＰＷＭ（Ｖｃ）により設定される。ＰＷＭ（Ｖｃ）を、ＲＣ回路（Ｒ５、Ｃ３）で平滑化した電圧値とＶｃ（−）のフィードバック電圧とをオペレーショナルアンプＩＣ１に入力し同じ電圧になるように制御する。オペレーショナルアンプＩＣ１の出力はパワートランジスタＴｒ１のベースへ供給され、パワートランジスタＴｒ１を流れる電流を制御することで、トランスＴの一次巻線への出力電圧を制御する。
【００２４】
出力端子１０ＢからのＶｂ（＋／−）の出力電圧値は抵抗制御回路３１へのＰＷＭ（Ｖｂ）で設定する。ＰＷＭ（Ｖｂ）をＲＣ回路（Ｒ６，Ｃ４）で平滑化した電圧値と、Ｖｂ（＋／−）のフィードバック電圧をオペレーショナルアンプＩＣ２に入力し、同じ電圧になるように制御する。
オペレーショナルアンプＩＣ２の出力は可変抵抗ＶＲに入力され、可変抵抗ＶＲの抵抗値を制御する。なお、可変抵抗ＶＲについては後述する。可変抵抗ＶＲと抵抗Ｒ２は直列接続されており、Ｖｂ（＋／−）の値は可変抵抗ＶＲの抵抗値と抵抗Ｒ２の抵抗値との比で決まるため、可変抵抗ＶＲの抵抗値を制御することでＶｂ（＋／−）出力値を負電圧から正電圧まで線形性をもって変化させることができる。
【００２５】
ここで、ＶＩは電源電圧（例えば２４Ｖ）である。また、ＰＷＭ（Ｖｃ）、ＰＷＭ（Ｖｂ）は前段の制御ＩＣ（例えばマイコン等）により生成し、所望のＶｃ（−）、Ｖｂ（＋／−）出力電圧値に応じて変化させる。ＰＷＭ（Ｖｃ）、ＰＷＭ（Ｖｂ）の設定値は画像濃度、温度変化、湿度変化等により決定する。
なお、図３に示す回路は、出力端子１０Ａから出力される電圧が正電圧（Ｖｃ（＋））となり、出力端子１０Ａから出力される電圧が重畳された電圧（Ｖｂ（＋／−））となるように変形して実施することができる。
この場合、２つの二次巻線の向き及びダイオードＤ１、Ｄ２による整流方向を変更して、第１の整流平滑回路（Ｄ１、Ｃ１）から出力される第１の極性の電圧が正電圧となり、第２の整流平滑回路（Ｄ２、Ｃ２）から出力される第２の極性の電圧が負電圧となるように構成する。そして、出力端１１ｂに固定抵抗手段としての抵抗Ｒ２を接続し、抵抗Ｒ２の出力端（他端）と出力端１１ａとの間に可変抵抗手段ＶＲを接続する。そして、第１の整流平滑回路からの正電圧（Ｖｃ（＋））を第１の出力端子１０Ａから出力し、第２の整流平滑回路の出力を、抵抗Ｒ２と可変抵抗ＶＲとを直列接続して分圧した電圧（Ｖｂ（＋／−））を第２の出力端子１０Ｂから出力する。
【００２６】
図４は図３に示した第１変圧手段の各部における電圧を示す表である。表では図３中のＡ、Ｂ、Ｃの電圧値を示している。表中の各値は、ＶＲ、Ｒ２、これらの値で定められるＶｂ（＋／−）である。Ｖｃ（−）をＡ、トランスＴのマイナス出力端子電圧を整流平滑化した電圧値「Ｂ」、Ｖｂ（＋／−）を「Ｃ」、とすると、「Ａ」と「Ｂ」の電位差がＶＲとＲ２により分圧されてＣとなる。ＶＲを変化させることで、Ｖｂ（＋／−）出力電圧値であるＣはプラスからマイナスまで変化することができる。
【００２７】
次に可変抵抗ＶＲの構成について説明する。図５は実施形態に係る高圧電源装置の可変抵抗手段の第１の例を示す回路図である。この例では可変抵抗ＶＲとして、１段のトランジスタを使用する。なお、図中の「ａ」、「ｂ」、「ｃ」は、図３中の「ａ」、「ｂ」、「ｃ」に相当する。ＰＷＭ（Ｖｂ）の設定値に基づいて定まるベース電流を変化させることで、エミッタ−コレクタ間の電流を変化させ、みかけの抵抗値を変更する。
【００２８】
図６は実施形態に係る高圧電源装置の可変抵抗手段の第２の例を示す回路図である。この例は可変抵抗ＶＲを多段、例えばトランジスタを３段で構成する。可変抵抗ＶＲは、３個のトランジスタＴｒ２１、Ｔｒ２２、Ｔｒ２３、と４個の抵抗Ｒ２１、Ｒ２２、Ｒ２３、Ｒ２４を備える。図中の「ａ」、「ｂ」、「ｃ」は、図３中のＡ、Ｂ、Ｃに相当する。本例も、ＰＷＭ（Ｖｂ）信号の設定値に応じて定まるベース電流を変化させることで、エミッタ−コレクタ間の電流を可変させ、みかけの抵抗値を変更する。本例では、３個のトランジスタＴｒ２１、Ｔｒ２２、Ｔｒ２３を直列にしているので、トランジスタ１個あたりの耐圧を１／３に軽減できる。このため、より高い電圧を制御できる。本例によれば、高耐圧のトランジスタを使うより、低耐圧なトランジスタを多段使用した方が、コストを抑えることができる。
【００２９】
図７は実施形態に係る高圧電源装置の可変抵抗手段の第３の例を示す回路図である。
可変抵抗器として回転式のボリューム抵抗ＶＲ１を使用し、このボリューム抵抗をモータ（図示していない）で駆動して抵抗値を変更する。図中の「ａ」、「ｂ」、「ｃ」は、図３中の「ａ」、「ｂ」、「ｃ」に相当する。モータはＰＷＭ（Ｖｂ）信号の設定値に応じて駆動する。
【符号の説明】
【００３０】
１０…高圧電源、１１…第１変圧手段、２１…第１制御回路、３１…抵抗制御回路（制御手段）、Ｔ１…トランス、Ｒ１…抵抗、Ｒ２…抵抗（固定抵抗手段）、ＶＲ…可変抵抗（可変抵抗手段）
【先行技術文献】
【特許文献】
【００３１】
【特許文献１】特開２００９−２３２４８８公報
【図１】
2014165931.tif 000003
【図２】
2014165931.tif 000004
【図３】
2014165931.tif 000005
【図４】
2014165931.tif 000006
【図５】
2014165931.tif 000007
【図６】
2014165931.tif 000008
【図７】
2014165931.tif 000009
【図８】
2014165931.tif 000010